(57)【特許請求の範囲】
【請求項１】
第１面、前記第１面の反対側に配置される第２面、および、前記第１面と前記第２面との間に配置される複数のビアを有する基板と、
前記第１面に配置される複数の第１金属パッド、および前記第２面に配置される複数の第２金属パッドを含む複数の金属パッドであって、前記第１面に配置される前記複数の第１金属パッドは、前記複数のビアを介して、前記第２面に配置される前記複数の第２金属パッドと電気的に接続される複数の金属パッドと、
前記複数の第１金属パッドの一部に配置され、それぞれが、少なくとも１つの第１電極接点および少なくとも１つの第２電極接点を有する複数のＬＥＤチップと、
前記複数のＬＥＤチップのそれぞれの前記少なくとも１つの第１電極接点に電気的に接続される第１部分と、第１端および第２端を有し、前記第１端が前記第１部分に電気的に接続され、前記第２端が前記複数の第１金属パッドのうちの１つであって前記基板の前記第１面に配置されるが前記複数のＬＥＤチップが配置されない第１金属パッドと電気的に接続される第２部分とを有する第１金属導線と、
を備え、
前記基板は矩形基板であり、前記複数の第１金属パッドは４つの第１金属パッドのみからなり、前記４つの第１金属パッドは、前記矩形基板の４つの角にそれぞれ配置され、
前記複数のＬＥＤチップは、青色チップ、緑色チップ、および赤色チップを含む、
発光ダイオード（ＬＥＤ）デバイス。
【請求項２】
前記複数のＬＥＤチップのうち少なくとも１つは縦型チップである、請求項１に記載の発光ダイオードデバイス。
【請求項３】
前記青色チップは第１電極接点および第２電極接点を有し、前記青色チップの前記第１電極接点および前記第２電極接点は互いに同一平面上にあり、自身に配置された前記青色チップを有する前記第１金属パッドは第１ワイヤボンディング領域を有し、第２金属導線が、前記青色チップの前記第２電極接点と前記第１金属パッドの前記第１ワイヤボンディング領域とを電気的に接続する、請求項１に記載の発光ダイオードデバイス。
【請求項４】
前記緑色チップは第１電極接点および第２電極接点を有し、前記緑色チップの前記第１電極接点および前記第２電極接点は互いに同一平面上にあり、自身に配置された前記緑色チップを有する前記第１金属パッドは第２ワイヤボンディング領域を有し、第３金属導線が、前記緑色チップの前記第２電極接点と前記第１金属パッドの前記第２ワイヤボンディング領域とを電気的に接続する、請求項１に記載の発光ダイオードデバイス。
【請求項５】
前記青色チップは第１電極接点および第２電極接点を有し、前記緑色チップは第１電極接点および第２電極接点を有し、前記青色チップの前記第１電極接点および前記第２電極接点は、前記緑色チップの前記第１電極接点および前記第２電極接点と同一平面上にあり、自身に配置された前記青色チップを有する前記第１金属パッドは第１ワイヤボンディング領域および第２ワイヤボンディング領域を有し、第２金属導線が、前記青色チップの前記第２電極接点と、自身に配置された前記青色チップを有する前記第１金属パッドの前記第１ワイヤボンディング領域とを電気的に接続し、自身に配置された前記緑色チップを有する前記第１金属パッドは第１ワイヤボンディング領域および第２ワイヤボンディング領域を有し、第３金属導線が、前記緑色チップの前記第２電極接点と、自身に配置された前記緑色チップを有する前記第１金属パッドの前記第２ワイヤボンディング領域とを電気的に接続する、請求項１に記載の発光ダイオードデバイス。
【請求項６】
前記矩形基板は面積Ａを有し、前記面積Ａは次の関係式、
Ａ≦０．８ｍｍ×０．８ｍｍ
を満たす、請求項１から請求項５のいずれか１項に記載の発光ダイオードデバイス。
【請求項７】
前記矩形基板は面積Ａを有し、前記面積Ａは次の関係式、
０．３ｍｍ×０．３ｍｍ≦Ａ≦０．８ｍｍ×０．８ｍｍ
を満たす、請求項１から請求項５のいずれか１項に記載の発光ダイオードデバイス。
【請求項８】
前記矩形基板は面積Ａを有し、前記面積Ａは次の関係式、
０．３ｍｍ×０．３ｍｍ≦Ａ≦０．６ｍｍ×０．６ｍｍ
を満たす、請求項１から請求項５のいずれか１項に記載の発光ダイオードデバイス。
【請求項９】
前記複数のＬＥＤチップは、前記基板の前記第２面に配置された前記複数の第２金属パッドを介して外部に電気的に接続され、前記複数のＬＥＤチップを流れる複数の電流は独立に制御されることが可能である、請求項１から請求項８のいずれか１項に記載の発光ダイオードデバイス。
【請求項１０】
第１面、前記第１面の反対側に配置される第２面、および、前記第１面と前記第２面との間に配置される複数のビアを有する基板と、
前記第１面に配置される複数の第１金属パッド、および前記第２面に配置される複数の第２金属パッドを含む複数の金属パッドであって、前記第１面に配置される前記複数の第１金属パッドは、前記複数のビアを介して、前記第２面に配置される前記複数の第２金属パッドと電気的に接続される複数の金属パッドと、
前記複数の第１金属パッドの一部に配置され、それぞれが、少なくとも１つの第１電極接点および少なくとも１つの第２電極接点を有する複数のＬＥＤチップと、
前記複数のＬＥＤチップのそれぞれの前記少なくとも１つの第１電極接点に電気的に接続される第１部分と、第１端および第２端を有し、前記第１端が前記第１部分に電気的に接続され、前記第２端が前記複数の第１金属パッドのうちの１つであって前記基板の前記第１面に配置されるが前記複数のＬＥＤチップが配置されない第１金属パッドと電気的に接続される第２部分とを有する第１金属導線と、
を備え、
前記基板は矩形基板であり、前記複数の第１金属パッドは５つの第１金属パッドのみからなり、前記５つの第１金属パッドのうちの４つは前記基板の４つの角にそれぞれ配置され、前記５つの第１金属パッドのうちの残りの１つにはいずれのＬＥＤチップも備えられず、前記複数のＬＥＤチップは、２つの第１カラーチップ、１つの第２カラーチップおよび１つの第３カラーチップであり、前記２つの第１カラーチップ、前記第２カラーチップおよび前記第３カラーチップは、前記４つの第１金属パッドにそれぞれ配置され、第１仮想直線が、同じ色を有する前記２つの第１カラーチップの中央同士を接続し、第２仮想直線が、異なる色を有する前記第２カラーチップの中央と前記第３カラーチップの中央とを接続し、前記第１仮想直線は前記第２仮想直線と交差し、
前記２つの第１カラーチップは２つの赤色チップであり、前記第２カラーチップは１つの緑色チップであり、前記第３カラーチップは１つの青色チップである、
発光ダイオードデバイス。
【請求項１１】
前記複数のＬＥＤチップは全て縦型チップであり、前記複数の縦型チップのそれぞれは、１つの前記第１電極接点、第１半導体層、発光層、第２半導体層、および、前記複数の第１金属パッドのうちの対応する１つに電気的に接続された１つの前記第２電極接点を有し、前記第１電極接点、前記第１半導体層、前記発光層、前記第２半導体層、前記第２電極接点、および、前記対応する第１金属パッドは、直線に沿って連続して配置される、請求項１０に記載の発光ダイオードデバイス。
【請求項１２】
第１面、前記第１面の反対側に配置される第２面、および、前記第１面と前記第２面との間に配置される複数のビアを有する基板と、
前記第１面に配置される複数の第１金属パッドおよび前記第２面に配置される複数の第２金属パッドをそれぞれ有する複数の金属パッドであって、前記第１面に配置される前記複数の第１金属パッドは、前記複数のビアを介して、前記第２面に配置される前記複数の第２金属パッドと電気的に接続される複数の金属パッドと、
互いに離れている前記複数の第１金属パッドの一部に配置され、それぞれが、少なくとも１つの第１電極接点および少なくとも１つの第２電極接点を有する複数のＬＥＤチップであって、前記複数のＬＥＤチップの前記複数の第２電極接点は、前記複数の第１金属パッドの前記一部にそれぞれ電気的に接続され、前記複数のＬＥＤチップの前記複数の第１電極接点は、前記複数の第１金属パッドの前記一部以外である前記複数の第１金属パッドのうちの別のものに電気的に接続される、複数のＬＥＤチップと、
を備え、
前記複数のＬＥＤチップのうち少なくとも１つはフリップチップであり、
前記複数の第１金属パッドは５つの第１金属パッドのみからなり、前記５つの第１金属パッドのうちの４つは、前記複数の第１金属パッドの前記一部であって前記基板の４つの角にそれぞれ配置され、前記５つの第１金属パッドのうちの残りの１つは前記別の第１金属パッドであり、前記複数のＬＥＤチップは、２つの第１カラーチップ、１つの第２カラーチップ、および１つの第３カラーチップを含み、前記２つの第１カラーチップ、前記第２カラーチップ、および前記第３カラーチップは、前記４つの第１金属パッドにそれぞれ配置され、第１仮想直線が、同じ色を有する前記２つの第１カラーチップを接続し、第２仮想直線が、異なる色を有する前記第２カラーチップと前記第３カラーチップとを接続し、前記第１仮想直線は前記第２仮想直線と交差し、
前記基板は矩形基板であり、前記４つの第１金属パッドは、前記矩形基板の４つの角にそれぞれ配置され、前記別の第１金属パッドは、前記４つの第１金属パッドの中間に配置され、
前記複数のＬＥＤチップは、前記基板の前記第２面に配置された前記複数の第２金属パッドを介して外部へ電気的に接続され、前記複数のＬＥＤチップを流れる複数の電流は独立に制御されることが可能である発光ダイオード（ＬＥＤ）デバイス。
【請求項１３】
前記２つの第１カラーチップは複数の赤色チップであり、前記第２カラーチップは緑色チップであり、前記第３カラーチップは青色チップである、請求項１２に記載の発光ダイオードデバイス。
【請求項１４】
前記複数の赤色チップは複数の縦型チップであり、前記緑色チップおよび前記青色チップは複数のフリップチップである、請求項１３に記載の発光ダイオードデバイス。
【請求項１５】
前記２つの第１カラーチップ、前記第２カラーチップ、および前記第３カラーチップは全てフリップチップである、請求項１２に記載の発光ダイオードデバイス。
【請求項１６】
異方性導電性接着剤をさらに備え、前記フリップチップの第１電極接点は、前記異方性導電性接着剤を介して前記別の第１金属パッドに電気的に接続され、前記フリップチップの第２電極接点は、前記異方性導電性接着剤を介して前記複数の第１金属パッドのうちの対応する１つに電気的に接続される、請求項１２から請求項１５のいずれか１項に記載の発光ダイオードデバイス。
【請求項１７】
前記複数のＬＥＤチップは、前記基板の前記第２面に配置された前記複数の第２金属パッドを介して外部へ電気的に接続され、前記複数のＬＥＤチップを流れる複数の電流は独立に制御されることが可能である、請求項１２から請求項１５のいずれか１項に記載の発光ダイオードデバイス。
【発明の詳細な説明】
【技術分野】
【０００１】
本発明はオプトエレクトロニクスデバイスに関し、より具体的には発光ダイオード（ＬＥＤ）デバイスに関する。
【背景技術】
【０００２】
ＬＥＤ技術が成熟するに連れて、ＬＥＤ製造の歩留りが著しく改善されてきた。これに従ってコストが下がっている。このことは、複数のＬＥＤを採用する複数の製品（例えば、ＬＥＤ懐中電灯、または車両／バイクに搭載されたＬＥＤランプ）を、人々の日常生活においてずっと一般的にしている。
【０００３】
複数のＬＥＤを採用するこれらの物理的な複数の製品のうち、情報標識板は重大な差異を与える。初期には、こうした情報標識板の電化製品は、工程歩留り、ユニットのコスト、および発光効率のような様々な複数の因子によって制限されているので、それらは、単一色で一行のみ情報を表示することができる。その上、採用されたこれらのＬＥＤの寸法もまた、極めて大きい。複数のＬＥＤを採用する新たな世代の情報標識板は、様々な色で複数行の情報を表示することが可能であり、採用される複数のＬＥＤの寸法はとても小さい。
【０００４】
複数のＬＥＤを採用する、前述の新たな世代の情報標識板においては、情報を表示するためのその表面には、アレイ状に配置された複数のＬＥＤデバイス１０が備えられる。詳細には、図１を参照すると、複数のＬＥＤデバイス１０のそれぞれは、基板２０および３つのＬＥＤチップ３０から構成される。
【０００５】
図１に示されるように、基板２０の上面には、第１ワイヤボンディング領域２１、第２ワイヤボンディング領域２２、第３ワイヤボンディング領域２３、および、ダイボンディング領域２４が備えられる。３つのＬＥＤチップ３０は、それぞれ青色チップ３１、緑色チップ３２、および赤色チップ３３である。ダイボンディング領域２４は基板２０の中央に配置される。第１ワイヤボンディング領域２１は、ダイボンディング領域２４の片側に配置される。第２ワイヤボンディング領域２２および第３ワイヤボンディング領域２３の両者は、第１ワイヤボンディング領域２１とは反対側である、ダイボンディング領域２４の他方側に配置される。このＬＥＤデバイス１０の回路設計においては、第１ワイヤボンディング領域２１、第２ワイヤボンディング領域２２、第３ワイヤボンディング領域２３、およびダイボンディング領域２４のような複数のブロックは、それらの間の電気的導通性を回避するために、特定の距離だけ相互に間隔が開けられていることに留意されるべきであろう。
【０００６】
故に、基板２０の上面の構成の観点からすると、３つのＬＥＤチップ３０に含まれる青色チップ３１、緑色チップ３２、および赤色チップ３３は、ダイボンディング領域２４の上部、下部、および中央部に連続して配置される。上部の青色チップ３１は、２つの第１金属導線４１を介してそれぞれ第１ワイヤボンディング領域２１および第２ワイヤボンディング領域２２に電気的に接続されることができる。下部の緑色チップ３２は、２つの第２金属導線４２を介してそれぞれ第１ワイヤボンディング領域２１および第３ワイヤボンディング領域２３に電気的に接続されることができる。そして中央部の赤色チップ３３は、単一の第３金属導線４３を介して第１ワイヤボンディング領域２１に電気的に接続されることができる。これは、採用される青色チップ３１および緑色チップ３２が複数の横型ＬＥＤチップであるのに対し、採用される赤色チップ３３が縦型ＬＥＤチップであるためである。それにより、青色チップ３１、緑色チップ３２、および赤色チップ３３の動作は、外部コントローラから入力される複数の信号に従って制御されることができる。
【０００７】
しかしながら、基板２０の上面に３つのワイヤボンディング領域（すなわち、第１ワイヤボンディング領域２１、第２ワイヤボンディング領域２２、および第３ワイヤボンディング領域２３）と１つのダイボンディング領域（すなわち、ダイボンディング領域２４）が備えられるような前述の回路設計においては、複数のワイヤボンディング領域のそれぞれおよびダイボンディング領域の最小面積に対して制限が成され、複数のブロックのそれぞれの間には、それらの間の電気的導通性を回避するために、特定の距離を保つ必要がある。従って、基板２０の寸法は制限され、ある特定の寸法より小さくならない。言い換えると、複数のＬＥＤを採用する複数のそのような情報標識板は、寸法の制限のために、解像度を改善する要求、または最終製品の寸法を縮小する要求を満たすことができない。
【０００８】
従って、当分野において長年にわたって必要とされていることは、解像度を改善し、且つ製品の寸法を縮小すべく、より小さな基板面積を必要とする回路設計の基板を持ったＬＥＤデバイスを提供することである。
【発明の概要】
【０００９】
本発明は、寸法の小さな複数のＬＥＤデバイスを提供する。
【００１０】
本発明に従ったＬＥＤデバイスは、基板、複数の金属パッド、複数のＬＥＤチップ、および第１金属導線を備える。基板は、第１面、第１面の反対側に配置される第２面、および、第１面と第２面との間に配置される複数のビアを有する。複数の金属パッドは、それぞれ、第１面に配置された複数の第１金属パッドおよび第２面に配置された複数の第２金属パッドを含む。第１面に配置された複数の第１金属パッドは、複数のビアを介して、第２面に配置された複数の第２金属パッドと電気的に接続される。複数のＬＥＤチップのそれぞれは、少なくとも１つの第１電極接点および少なくとも１つの第２電極接点を有する。複数のＬＥＤチップは、基板の第１面に配置された複数の第１金属パッドの一部に配置される。第１金属導線は、複数のＬＥＤチップのそれぞれの少なくとも１つの第１電極接点と電気的に接続されるように適合される。第１金属導線の一端は、複数の第１金属パッドのうちの１つであって、基板の第１面に配置されるが、そこにはＬＥＤチップが配置されない第１金属パッドと電気的に接続される。第１金属導線に電気的に接続された複数のＬＥＤチップのそれぞれの少なくとも１つの第１電極接点は、同一の電極接点極性を有する。
【００１１】
本発明に従った別のＬＥＤデバイスは、基板、複数の金属パッド、および複数のＬＥＤチップを備える。基板は、第１面、第１面の反対側に配置される第２面、および、第１面と第２面との間に配置される複数のビアを有する。複数の金属パッドは、それぞれ、第１面に配置された複数の第１金属パッドおよび第２面に配置された複数の第２金属パッドを含む。第１面に配置された複数の第１金属パッドは、複数のビアを介して、第２面に配置された複数の第２金属パッドと電気的に接続される。複数のＬＥＤチップのそれぞれは、少なくとも１つの第１電極接点および少なくとも１つの第２電極接点を有する。複数のＬＥＤチップは、複数の第１金属パッドの一部に配置される。複数のＬＥＤチップの複数の第２電極接点は、それぞれ、複数の第１金属パッドの一部に電気的に接続される。複数のＬＥＤチップの複数の第１電極接点は、複数の第１金属パッドのうちの別のものに電気的に接続される。複数のＬＥＤチップのうち少なくとも１つはフリップチップである。フリップチップは、フリップチップの第１電極接点が上記別の第１金属パッドに電気的に接続されるように、フリップチップが配置される第１金属パッドと上記別の第１金属パッドとの間のギャップをまたいで広がる。
【００１２】
本発明の一実施形態において、基板は矩形基板であってよく、複数の第１金属パッドは４つの第１金属パッドであってよく、４つの第１金属パッドは、矩形基板の４つの角にそれぞれ配置される。
【００１３】
本発明の一実施形態において、複数のＬＥＤチップのうち少なくとも１つは縦型チップである。
【００１４】
本発明の一実施形態において、複数のＬＥＤチップは青色チップ、緑色チップ、および赤色チップを含む。
【００１５】
本発明の一実施形態において、青色チップは第１電極接点および第２電極接点を有する。第１電極接点と第２電極接点とは、互いに同一平面上にある。そこに配置された青色チップを有する第１金属パッドは、第１ワイヤボンディング領域を有する。第２金属導線は、青色チップの第２電極接点と第１金属パッドの第１ワイヤボンディング領域とを電気的に接続するように適合される。
【００１６】
本発明の一実施形態において、緑色チップは第１電極接点および第２電極接点を有する。第１電極接点と第２電極接点とは、互いに同一平面上にある。そこに配置された緑色チップを有する第１金属パッドは、第２ワイヤボンディング領域を有する。第３金属導線は、緑色チップの第２電極接点と第１金属パッドの第２ワイヤボンディング領域とを電気的に接続するように適合される。
【００１７】
本発明の一実施形態において、青色チップおよび緑色チップのそれぞれは、第１電極接点および第２電極接点を有する。複数の第１電極接点のそれぞれは、対応する第２電極接点と同一平面上にある。そこに配置された青色チップを有する第１金属パッドは、第１ワイヤボンディング領域を有する。そこに配置された緑色チップを有する第１金属パッドは、第２ワイヤボンディング領域を有する。第２金属導線は、青色チップの第２電極接点と、そこに配置された青色チップを有する第１金属パッドの第１ワイヤボンディング領域とを電気的に接続するように適合される。第３金属導線は、緑色チップの第２電極接点と、そこに配置された緑色チップを有する第１金属パッドの第２ワイヤボンディング領域とを電気的に接続するように適合される。
【００１８】
本発明の一実施形態において、矩形基板は面積Ａを有し、面積Ａは次の関係式：Ａ≦０．８ｍｍ×０．８ｍｍを満たす。
【００１９】
本発明の一実施形態において、矩形基板は面積Ａを有し、面積Ａは次の関係式：０．３ｍｍ×０．３ｍｍ≦Ａ≦０．８ｍｍ×０．８ｍｍを満たす。
【００２０】
本発明の一実施形態において、矩形基板は面積Ａを有し、面積Ａは次の関係式：０．３ｍｍ×０．３ｍｍ≦Ａ≦０．６ｍｍ×０．６ｍｍを満たす。
【００２１】
本発明の一実施形態において、複数のＬＥＤチップは、基板の第２面に配置される複数の第２金属パッドを介して外部に電気的に接続され、複数のＬＥＤチップの複数の電流の大きさは、独立に制御されることが可能である。
【００２２】
本発明の一実施形態において、複数の第１金属パッドは５つの第１金属パッドであり、５つの第１金属パッドのうちの４つは基板の４つの角にそれぞれ配置され、５つの第１金属パッドのうちの残りの１つにはいずれのＬＥＤチップも備えられない。複数のＬＥＤチップは、２つの第１カラーチップ、１つの第２カラーチップおよび１つの第３カラーチップであり、２つの第１カラーチップ、第２カラーチップおよび第３カラーチップは、４つの第１金属パッドにそれぞれ配置される。第１仮想直線は、同じ色を有する２つの第１カラーチップの中央同士を接続し、第２仮想直線は、異なる色を有する第２カラーチップの中央と第３カラーチップの中央とを接続し、第１仮想直線は第２仮想直線と交差する。
【００２３】
本発明の一実施形態において、基板は矩形基板であり、４つの第１金属パッドは矩形基板の４つの角にそれぞれ配置され、別の第１金属パッドは、４つの第１金属パッドの中間に配置される。
【００２４】
本発明の一実施形態において、２つの第１カラーチップは２つの赤色チップであり、第２カラーチップは１つの緑色チップであり、第３カラーチップは１つの青色チップである。
【００２５】
本発明の一実施形態において、複数のＬＥＤチップは全て縦型チップであり、複数の縦型チップのそれぞれは、第１電極接点、第１半導体層、発光層、第２半導体層、および、複数の第１金属パッドのうちの対応する１つに電気的に接続される第２電極接点を有する。第１電極接点、第１半導体層、発光層、第２半導体層、第２電極接点、および対応する第１金属パッドは、直線に沿って連続して配置される。
【００２６】
本発明の一実施形態において、複数の第１金属パッドは５つの第１金属パッドを含み、５つの第１金属パッドのうちの４つは複数の第１金属パッドの一部であって基板の４つの角にそれぞれ配置され、５つの金属パッドのうちの残りの１つが別の第１金属パッドである。複数のＬＥＤチップは、２つの第１カラーチップ、１つの第２カラーチップ、および１つの第３カラーチップを含む。２つの第１カラーチップ、第２カラーチップ、および第３カラーチップは、４つの第１金属パッドにそれぞれ配置される。第１仮想直線は、同じ色を有する２つの第１カラーチップの中央同士を接続する。第２仮想直線は、異なる色を有する第２カラーチップの中央と第３カラーチップの中央とを接続する。第１仮想直線は第２仮想直線と交差する。
【００２７】
本発明の一実施形態において、基板は矩形基板である。４つの第１金属パッドは、矩形基板の４つの角にそれぞれ配置され、別の第１金属パッドは、４つの第１金属パッドの中間に配置される。
【００２８】
本発明の一実施形態において、２つの第１カラーチップは赤色チップであり、第２カラーチップは緑色チップであり、第３カラーチップは青色チップである。複数の赤色チップは複数の縦型チップであり、緑色チップおよび青色チップは複数のフリップチップである。
【００２９】
本発明の一実施形態において、複数の第１カラーチップ、第２カラーチップ、および第３カラーチップは全てフリップチップである。
【００３０】
本発明の一実施形態において、ＬＥＤデバイスは異方性導電性接着剤をさらに含む。フリップチップの第１電極接点は、異方性導電性接着剤を介して別の第１金属パッドへ電気的に接続され、フリップチップの第２電極接点は、異方性導電性接着剤を介して複数の第１金属パッドのうちの対応する１つへ電気的に接続される。
【００３１】
上記にて説明されたことに従った本発明の一実施形態のＬＥＤデバイスは、ＬＥＤデバイスの寸法を縮小すべく、同じ第１金属導線を、複数のＬＥＤの複数の第１電極接点に電気的に接続する。
【００３２】
さらに、本発明の別の実施形態のＬＥＤデバイスは、少なくとも１つのフリップチップＬＥＤチップを備える。フリップチップＬＥＤチップは、２つの隣接する第１金属パッド間のギャップをまたいで広がる。そして、フリップチップＬＥＤチップの第１電極接点および第２電極接点は、それぞれ、２つの隣接する第１金属パッドへと電気的に接続される。それにより、少なくとも１つのフリップチップＬＥＤチップは、対応する第１金属パッドへと電気的に接続されるための追加の配線を必要としない。これは、ＬＥＤデバイスの寸法をさらに縮小させる。
【００３３】
請求される発明の複数の特徴を当業者がよく理解できるように、発明の主題のために実施される詳細な技術および複数の好ましい実施形態が、添付される図面を伴った以下の複数の段落において説明される。
【図面の簡単な説明】
【００３４】
【図１】従来技術におけるＬＥＤデバイスの概略上面図である。
【図２】本発明の一実施形態に従ったＬＥＤデバイスの概略上面図である。
【図３】本発明の上記実施形態に従ったＬＥＤデバイスの概略側面図である。
【図４】本発明の別の実施形態に従ったＬＥＤデバイスの概略上面図である。
【図５】図４のａ−ａ'、ｂ−ｂ'、ｃ−ｃ'、ｄ−ｄ'、およびｅ−ｅ'切断線に沿って得られるＬＥＤデバイスの概略断面図である。
【図６】本発明の別の実施形態に従ったＬＥＤデバイスの概略上面図である。
【図７】図６のａ−ａ'、ｂ−ｂ'、ｃ−ｃ'、ｄ−ｄ'、およびｅ−ｅ'切断線に沿って得られるＬＥＤデバイスの概略断面図である。
【図８】本発明のさらに別の実施形態に従ったＬＥＤデバイスの概略上面図である。
【図９】図８のａ−ａ'、ｂ−ｂ'、ｃ−ｃ'、ｄ−ｄ'、およびｅ−ｅ'切断線に沿って得られるＬＥＤデバイスの概略断面図である。
【発明を実施するための形態】
【００３５】
図２に示されるように、本発明の一実施形態に従ったＬＥＤデバイス１００は、情報板に使用されることができ、基板２００、複数の金属パッド３００、複数のＬＥＤチップ４００、および第１金属導線５１０のような複数の要素を備えてよい。
【００３６】
図２および図３を一緒に参照すると、基板２００は、第１面２１０、第１面２１０の反対側に配置された第２面２２０、および第１面２１０と第２面２２０との間に配置される複数のビア２３０を有する。複数の金属パッド３００は、それぞれ第１面２１０に配置された複数の第１金属パッド３１０および第２面２２０に配置された複数の第２金属パッド３２０を含む。第１面２１０に配置された複数の第１金属パッド３１０は、第２面２２０に配置された複数の第２金属パッド３２０と、複数のビア２３０を介して電気的に接続されるように適合される。
【００３７】
複数のＬＥＤチップ４００のそれぞれは、少なくとも１つの第１電極接点および少なくとも１つの第２電極接点を有する。複数のＬＥＤチップ４００は、第１面２１０に配置された複数の第１金属パッド３１０の一部に配置される。図２および図３の実施形態においては、複数のＬＥＤチップ４００のうち少なくとも１つは縦型ＬＥＤチップであり、残りの複数のＬＥＤチップ４００は複数の横型ＬＥＤチップであるが、本発明はこれに限定されるものではない。
【００３８】
第１金属導線５１０は、複数のＬＥＤチップ４００のそれぞれの少なくとも１つの第１電極接点に電気的に接続されるよう適合される。そして、第１金属導線５１０の一端は、基板２００の第１面２１０に配置されるが複数のＬＥＤチップ４００のどれもそこには配置されない、複数の第１金属パッド３１０のうちの１つに電気的に接続される。言い換えると、第１金属導線５１０は、第１面２１０の領域であって、そこに配置された複数の第１金属パッド３１０を有する領域に電気的に接続されてよい。第１金属導線５１０によって電気的に接続された複数のＬＥＤチップ４００のそれぞれの少なくとも１つの第１電極接点は、同一の電極接点極性を有する。
【００３９】
本発明の実施形態に従った複数のＬＥＤチップ４００は、基板２００の第２面２２０に配置された複数の第２金属パッド３２０を介して外部環境またはコントローラへと電気的に接続されてよく、複数のＬＥＤチップ４００の複数の電流の大きさは、複数の異なる表示要求を満たすために、独立に制御されることが可能であることが、さらに理解されるべきである。
【００４０】
詳細には、本発明の好ましい実施形態において、ＬＥＤデバイス１００の基板２００は矩形基板であり、複数の第１金属パッド３１０は４つの第１金属パッド３１０であり、４つの第１金属パッド３１０は、基板２００の４つの角にそれぞれ配置される。さらに、複数のＬＥＤチップ４００は、青色チップ４１０、緑色チップ４２０、および赤色チップ４３０を含み、青色チップ４１０と緑色チップ４２０とは横型ＬＥＤチップであり、赤色チップ４３０は縦型ＬＥＤチップである。
【００４１】
さらに言えば、この実施形態において、ＬＥＤデバイス１００の青色チップ４１０は、第１電極接点４１２および第２電極接点４１４を有し、これに対応して緑色チップ４２０は、第１電極接点４２２および第２電極接点４２４を有する。この実施形態においては、青色チップ４１０と緑色チップ４２０の両者はともに横型ＬＥＤチップであり、青色チップ４１０の第１電極接点４１２と第２電極接点４１４とは互いに実質的に同一平面にあり、緑色チップ４２０の第１電極接点４２２と第２電極接点４２４もまた互いに実質的に同一平面にある。
【００４２】
他方、赤色チップ４３０は縦型ＬＥＤチップであり、（図２に示されるように）基板２００の第１面２１０に配置された第１金属パッド３１０に赤色チップ４３０が配置されている場合、第１電極接点４３２のみが見られるであろう。
【００４３】
そこに配置された青色チップ４１０および緑色チップ４２０をそれぞれ有する２つの第１金属パッド３１０は、それぞれ、第１ワイヤボンディング領域３１２および第２ワイヤボンディング領域３１４を有する。つまり、第１ワイヤボンディング領域３１２は、そこに配置された青色チップ４１０を有する第１金属パッド３１０に対応して属し、第２ワイヤボンディング領域３１４は、そこに配置された緑色チップ４２０を有する第１金属パッド３１０に対応して属する。
【００４４】
故に、前述の配置によると、第２金属導線５２０は、青色チップ４１０の第２電極接点４１４と、そこに配置された青色チップ４１０を有する第１金属パッド３１０の第１ワイヤボンディング領域３１２とを電気的に接続するために使用されてよい。第３金属導線５３０は、緑色チップ４２０の第２電極接点４２４と、そこに配置された緑色チップ４２０を有する第１金属パッド３１０の第２ワイヤボンディング領域３１４とを電気的に接続するために使用されてよい。
【００４５】
上記の説明に従った、図２に示されるような本発明のＬＥＤデバイス１００の前述の好ましい実施形態においては、基板２００を矩形基板とし、複数のＬＥＤチップ４００を３つのＬＥＤチップ４００（すなわち、青色チップ４１０、緑色チップ４２０、および赤色チップ４３０）として定義することにより、４つの第１金属パッド３１０がそれぞれ基板２００の４つの角に配置され、青色チップ４１０と緑色チップ４２０が右上の角と左下の角の２つの第１金属パッド３１０にそれぞれ配置され、赤色チップ４３０が右下の角の第１金属パッド３１０に配置されると、単一の第１金属導線５１０は、青色チップ４１０の第１電極接点４１２、赤色チップ４３０の第１電極接点４３２、および緑色チップ４２０の第１電極接点４２２に、右上の角から右下の角へ、次いで左下の角へという順で連続して電気的に接続されることができる。このようにすると、第１金属導線５１０の一端は、最終的に左上の角の第１金属パッド３１０で終端する。そして、青色チップ４１０の第１電極接点４１２、赤色チップ４３０の第１電極接点４３２、および緑色チップ４２０の第１電極接点４２２は、同一の電極接点極性を有する（すなわち、全てが正電極または全てが負電極である）。
【００４６】
その一方で、第１面２１０に配置された複数の第１金属パッド３１０は、複数のビア２３０を介して、第２面２２０に配置された複数の第２金属パッド３２０に電気的に接続されてよい。従って、青色チップ４１０が横型ＬＥＤチップの場合、そこに配置された青色チップ４１０を有する第１金属パッド３１０には第１ワイヤボンディング領域３１２が備えられ、青色チップ４１０の第２電極接点４１４は、第２金属導線５２０を介して第１ワイヤボンディング領域３１２に電気的に接続される。これにより、第２電極接点４１４は第２面２２０の１つの第２金属パッド３２０に電気的に接続され、それにより青色チップ４１０の第１電極接点４１２を青色チップ４１０の第２電極接点４１４へと接続する。同様に、緑色チップ４２０が横型ＬＥＤチップの場合、そこに配置された緑色チップ４２０を有する第１金属パッド３１０には第２ワイヤボンディング領域３１４が備えられ、緑色チップ４２０の第２電極接点４２４は、第３金属導線５３０を介して第２ワイヤボンディング領域３１４に電気的に接続される。これにより、第２電極接点４２４は第２面２２０の別の第２金属パッド３２０に電気的に接続され、それにより緑色チップ４２０の第１電極接点４２２を緑色チップ４２０の第２電極接点４２４へと接続する。赤色チップ４３０は縦型ＬＥＤチップであるので、第１電極接点４３２とは反対のその第２電極接点（不図示）は、第２面２２０に配置される別の第２金属パッド３２０へと既に電気的に接続されている。よって、第２電極接点と第２金属パッドとを接続するための追加的な操作は必要が無い。
【００４７】
当分野における当業者には容易に理解されるように、本発明のＬＥＤデバイス１００はまた、前述の複数の態様に加えて、他の複数の変形形態を有してもよい。
【００４８】
例えば、そこに配置された青色チップ４１０を有する第１金属パッド３１０には第１ワイヤボンディング領域３１２が備えられてよく、青色チップ４１０の第２電極接点４１４は、第２金属導線５２０を介して第１ワイヤボンディング領域３１２に電気的に接続されるが、緑色チップ４２０の第２電極接点４２４が電気的に接続される様式は、それ以上定義されない。これは、青色チップ４１０の第１電極接点４１２、赤色チップ４３０の第１電極接点４３２、および緑色チップ４２０の第１電極接点４２２が、単一の第１金属導線５１０を介して接続されることによって同一の電極接点極性を有することを妨げないであろう。
【００４９】
その代わりに、そこに配置された緑色チップ４２０を有する第１金属パッド３１０にはまた、第２ワイヤボンディング領域３１４が備えられてよく、緑色チップ４２０の第２電極接点４２４は、第３金属導線５３０を介して第２ワイヤボンディング領域３１４に電気的に接続されるが、青色チップ４１０の第２電極接点４１４が電気的に接続される様式は、それ以上定義されない。これもまた、青色チップ４１０の第１電極接点４１２、赤色チップ４３０の第１電極接点４３２、および緑色チップ４２０の第１電極接点４２２が、単一の第１金属導線５１０を介して接続されることによって同一の電極接点極性を有することを妨げないであろう。
【００５０】
さらに、本発明の好ましい実施形態に説明されるように、青色チップ４１０の第１電極接点４１２、赤色チップ４３０の第１電極接点４３２、および緑色チップ４２０の第１電極接点４２２へと、右上の角から右下の角へ、次いで左下の角へという順で連続して電気的に接続される単一の第１金属導線５１０を有することに加えて、青色チップ４１０、赤色チップ４３０、および緑色チップ４２０はまた、右下の角から左下の角へ、次いで左上の角へという時計回り方向で、基板２００の４つの角に連続して配置されてもよい。その代わりに、青色チップ４１０、赤色チップ４３０、および緑色チップ４２０は、左上の角から左下の角へ、次いで右下の角へという反時計回り方向で、基板２００の４つの角に連続して配置されてよい。これらの全ては、本発明の他の複数の実施形態とみなされてよい。
【００５１】
さらに言えば、本発明の実施形態に従ったＬＥＤデバイス１００の基板２００は面積Ａを有してよく、面積Ａは、次の関係式：Ａ≦０．８ｍｍ×０．８ｍｍを満たす。しかしながら、一実施形態においては、面積Ａは次の関係式：０．３ｍｍ×０．３ｍｍ≦Ａ≦０．８ｍｍ×０．８ｍｍを満たす。さらに、前述の好ましい実施形態においては、面積Ａは次の関係式：０．３ｍｍ×０．３ｍｍ≦Ａ≦０．６ｍｍ×０．６ｍｍを満たす。
【００５２】
図４は、本発明の別の実施形態に従ったＬＥＤデバイスの概略上面図である。図５は、図４のａ−ａ'、ｂ−ｂ'、ｃ−ｃ'、ｄ−ｄ'、およびｅ−ｅ'切断線に沿って得られるＬＥＤデバイスの概略断面図である。図４および図５を一緒に参照すると、ＬＥＤデバイス６００は、基板６１０、複数の金属パッド６２０Ｒ、６２０Ｂ、６２０Ｒ、６２０Ｇおよび６２０Ｃ、複数のＬＥＤチップ６３０Ｒ、６３０Ｂ、６３０Ｒおよび６３０Ｇ、および、第１金属導線６４０（図４に示される）を備える。基板６１０は、第１面６１０ａ、第１面６１０ａの反対側に配置された第２面６１０ｂ（図５に示される）、および、第１面６１０ａと第２面６１０ｂとの間に配置された複数のビア６１０ｃ（図５に示される）を有する。詳細には、図５に示されるように、この実施形態の基板６１０は、複数のビアホール６１０ｅを有する絶縁ベース６１０ｄを備える。複数のビアホール６１０ｅのそれぞれは、第１面６１０ａおよび第２面６１０ｂを貫通する。絶縁ベース６１０ｄの複数のビアホール６１０ｅは、複数のビア６１０ｃを形成すべく、導電性材料で埋められる。
【００５３】
図４に示されるように、複数の金属パッド６２０Ｒ、６２０Ｂ、６２０Ｒ、６２０Ｇおよび６２０Ｃは、お互いから分離されている。図５に示されるように、複数の金属パッド６２０Ｒ、６２０Ｂ、６２０Ｒ、６２０Ｇおよび６２０Ｃは、それぞれ、第１面６１０ａに配置された複数の第１金属パッド６２０Ｒ１、６２０Ｂ１、６２０Ｒ１、６２０Ｇ１および６２０Ｃ１、ならびに、第２面６１０ｂに配置された複数の第２金属パッド６２０Ｒ２、６２０Ｂ２、６２０Ｒ２、６２０Ｇ２および６２０Ｃ２を含む。複数の金属パッド６２０Ｒ、６２０Ｂ、６２０Ｒ、６２０Ｇおよび６２０Ｃの複数の第１金属パッド６２０Ｒ１、６２０Ｂ１、６２０Ｒ１、６２０Ｇ１および６２０Ｃ１のそれぞれは、複数のビア６１０ｃのうちの対応する１つを介して、複数の第２金属パッド６２０Ｒ２、６２０Ｂ２、６２０Ｒ２、６２０Ｇ２および６２０Ｃ２のうちの対応する１つに電気的に接続される。この実施形態においては、複数の金属パッド６２０Ｒ、６２０Ｂ、６２０Ｒ、６２０Ｇおよび６２０Ｃの材料は、例えば銅であるが、本発明はこれに限定されるものではない。複数の他の実施形態においては、複数の金属パッド６２０Ｒ、６２０Ｂ、６２０Ｒ、６２０Ｇおよび６２０Ｃの材料はまた、その他の適切な材料であってよい。
【００５４】
図４および図５に示されるように、複数のＬＥＤチップ６３０Ｒ、６３０Ｂ、６３０Ｒおよび６３０Ｇのそれぞれは、少なくとも１つの第１電極接点６３２および少なくとも１つの第２電極接点６３９（図５に示される）を有する。複数のＬＥＤチップ６３０Ｒ、６３０Ｂ、６３０Ｒおよび６３０Ｇは、複数の第１金属パッド６２０Ｒ１、６２０Ｂ１、６２０Ｒ１および６２０Ｇ１にそれぞれ配置される。この実施形態は、図５に示されるように、複数のＬＥＤチップ６３０Ｒ、６３０Ｂ、６３０Ｒおよび６３０Ｇのそれぞれが、任意に縦型チップであってよいという点で、図２および図３の実施形態とは異なる。詳細には、複数のＬＥＤチップ６３０Ｒ、６３０Ｂ、６３０Ｒおよび６３０Ｇのそれぞれは、第１電極接点６３２、第１半導体層６３４、発光層６３６、第２半導体層６３８、および、複数の第１金属パッド６２０Ｒ１、６２０Ｂ１、６２０Ｒ１および６２０Ｇ１のうちの対応する１つと電気的に接続される１つの第２電極接点６３９を有する。複数のＬＥＤチップ６３０Ｒ、６３０Ｂ、６３０Ｒおよび６３０Ｇのうちの１つにおける第１電極接点６３２、第１半導体層６３４、発光層６３６、第２半導体層６３８、第２電極接点６３９、および、第１金属パッド６２０Ｒ１、６２０Ｂ１、６２０Ｒ１および６２０Ｇ１のうちの対応する１つは、直線ｄ１に沿って連続して配置される。直線ｄ１の方向は、例えば、第１面６１０ａの法線方向と反対の方向である。複数のＬＥＤチップ６３０Ｒ、６３０Ｂ、６３０Ｒおよび６３０Ｇのそれぞれの第２電極接点６３９は、固定されてよく、導電性接着剤Ｇ（例えば銀接着剤）を介して複数の第１金属パッド６２０Ｒ１、６２０Ｂ１、６２０Ｒ１および６２０Ｇ１の対応する１つに電気的に接続されてよい。本発明において複数のＬＥＤチップ６３０Ｒ、６３０Ｂ、６３０Ｒおよび６３０Ｇの全てが縦型チップであるべきと限定されるわけではなく、また、ＬＥＤデバイスに採用される複数のＬＥＤチップの種類は、実際の要求に依存することが理解されるべきである。
【００５５】
図４に示されるように、第１金属導線６４０は、複数のＬＥＤチップ６３０Ｒ、６３０Ｂ、６３０Ｒおよび６３０Ｇのそれぞれの第１電極接点６３２と電気的に接続されるように適合される。言い換えると、第１金属導線６４０の本体は、複数のＬＥＤチップ６３０Ｒ、６３０Ｂ、６３０Ｒおよび６３０Ｇの全ての第１電極接点６３２が同じ電位を有するように、複数のＬＥＤチップ６３０Ｒ、６３０Ｂ、６３０Ｒおよび６３０Ｇの全ての第１電極接点６３２を接続する。第１金属導線６４０の一端６４０ａは、複数のＬＥＤチップのいずれもそこに配置されない第１金属パッド６２０Ｃ１に電気的に接続される。
【００５６】
図４および図５に示されるように、この実施形態においては、複数の第１金属パッド６２０Ｒ１、６２０Ｂ１、６２０Ｒ１、６２０Ｇ１および６２０Ｃ１はお互いから分離され、複数の第２金属パッド６２０Ｒ２、６２０Ｂ２、６２０Ｒ２、６２０Ｇ２および６２０Ｃ２はお互いから分離され、複数の第１金属パッド６２０Ｒ１、６２０Ｂ１、６２０Ｒ１、６２０Ｇ１および６２０Ｃ１は、それぞれ、複数の第２金属パッド６２０Ｒ２、６２０Ｂ２、６２０Ｒ２、６２０Ｇ２および６２０Ｃ２に電気的に接続される。複数の駆動信号が、複数の第２金属パッド６２０Ｒ２、６２０Ｂ２、６２０Ｒ２および６２０Ｇ２を介して、外部から複数のＬＥＤチップ６３０Ｒ、６３０Ｂ、６３０Ｒおよび６３０Ｇの複数の第２電極接点６３９へと送信されることができ、共通した同じ信号が、第２金属パッド６２０Ｃ２を介して複数のＬＥＤチップ６３０Ｒ、６３０Ｂ、６３０Ｒおよび６３０Ｇの複数の第１電極接点６３２へと送信されることができる。これにより、複数のＬＥＤチップ６３０Ｒ、６３０Ｂ、６３０Ｒおよび６３０Ｇの複数の電流の大きさは、独立に制御されることが可能である。
【００５７】
図４に示されるように、この実施形態においては、複数の第１金属パッド６２０Ｒ１、６２０Ｂ１、６２０Ｒ１、６２０Ｇ１および６２０Ｃ１は５つの第１金属パッドであり、４つの第１金属パッド６２０Ｒ１、６２０Ｂ１、６２０Ｒ１および６２０Ｇ１が基板６１０の４つの角にそれぞれ配置され、残った１つの第１金属パッド６１０Ｃには、いずれのＬＥＤチップも備えられない。複数のＬＥＤチップ６３０Ｒ、６３０Ｂ、６３０Ｒおよび６３０Ｇは、２つの第１カラーチップ（例えば２つのＬＥＤチップ６３０Ｒ）、１つの第２カラーチップ（例えばＬＥＤチップ６３０Ｇ）、および、１つの第３カラーチップ（例えばＬＥＤチップ６３０Ｂ）を含む。複数のＬＥＤチップ６３０Ｒ、６３０Ｂ、６３０Ｒおよび６３０Ｇは、それぞれ、４つの第１金属パッド６２０Ｒ１、６２０Ｂ１、６２０Ｒ１および６２０Ｇ１に配置される。第１仮想直線は、同じ色を有する２つのＬＥＤチップ６３０Ｒの中央同士を接続する。第２仮想直線は、異なる色を有するＬＥＤチップ６３０Ｂの中央とＬＥＤチップ６３０Ｇの中央とを接続する。第１仮想直線は第２仮想直線と交差する。さらに言えば、任意の２つの隣接するＬＥＤチップ６３０Ｒおよび６３０Ｂ（６３０Ｒおよび６３０Ｇ）の中央同士の間の距離は同じであってよい。言い換えると、任意の３つのＬＥＤチップ６３０Ｒ、６３０Ｂおよび６３０Ｇ（６３０Ｒ、６３０Ｒおよび６３０Ｂ、または、６３０Ｒ、６３０Ｒおよび６３０Ｇ）の複数の中央を接続することにより、直角二等辺三角形が形成されてよい。しかし、本発明はこれに限定されるものではない。
【００５８】
さらに言えば、この実施形態において基板６１０は、矩形基板であるように選択されてよい。４つの第１金属パッド６２０Ｒ１、６２０Ｒ１、６２０Ｇ１および６２０Ｂ１は、基板６１０の４つの角にそれぞれ配置されてよく、そこにいずれのＬＥＤチップも備えられない第１金属パッド６２０Ｃ１は、４つの第１金属パッド６２０Ｒ１、６２０Ｇ１、６２０Ｒ１および６２０Ｂ１の中間に配置されてよい。しかしながら、本発明はこれに限定されるものではない。複数の他の実施形態において基板６１０はまた、実際の要求に応じてその他複数の形状に設計されてよく、複数の第１金属パッド６２０Ｒ１、６２０Ｂ１、６２０Ｒ１、６２０Ｇ１および６２０Ｃ１は、その他複数の適切な方式で基板６１０に配置されてよい。
【００５９】
この実施形態においては、２つのＬＥＤチップ６３０Ｒは例えば２つの赤色チップであり、ＬＥＤチップ６３０Ｇは例えば緑色チップであり、そしてＬＥＤチップ６３０Ｂは例えば青色チップであるが、本発明はこれに限定されるものではない。複数の他の実施形態においては、複数のＬＥＤチップ６３０Ｒ、６３０Ｂ、６３０Ｒおよび６３０Ｇの発光色はまた、他の複数種類の色の複数の組み合わせであってもよい。図４の実施形態においては、複数のＬＥＤチップ６３０Ｒ、６３０Ｂ、６３０Ｒおよび６３０Ｇは全て縦型ＬＥＤチップであることに留意されるべきであろう。縦型ＬＥＤチップの寸法は横型ＬＥＤチップの寸法より小さいので、図４のＬＥＤデバイス６００の寸法は、図２のＬＥＤデバイス１００の寸法と比べて、さらに縮小されることができる。
【００６０】
もしも複数のＬＥＤデバイス６００が駆動回路基板（不図示）にアレイ状に配置された場合、駆動回路基板および複数のＬＥＤデバイス６００は、ディスプレイ（例えば情報板）を形成することができる。同じ第１金属導線６４０を、複数のＬＥＤチップ６３０Ｒ、６３０Ｂ、６３０Ｒおよび６３０Ｇの複数の第１電極接点６３２に電気的に接続することにより、複数のＬＥＤデバイス６００のそれぞれは、縮小されたその寸法を有してよく、それにより、ディスプレイの解像度を改善する。さらに言えば、複数のＬＥＤデバイス６００がアレイ状に配置された場合、お互いに最も近い２つの隣接するＬＥＤデバイス６００の２つのＬＥＤチップの中央同士の間の距離は、１つの同じＬＥＤデバイス６００中の２つの隣接するＬＥＤチップの中央同士の間の距離に等しい。例えば、複数のＬＥＤデバイス６００がアレイ状に配置されている場合、第１ＬＥＤデバイス６００が右で第２ＬＥＤデバイス６００が左になるように、第１ＬＥＤデバイス６００は第２ＬＥＤデバイス６００に隣接する。この場合、第１ＬＥＤデバイス６００の左上の角にあるＬＥＤチップ６３０Ｒの中央と、第２ＬＥＤデバイス６００の右上の角にあるＬＥＤチップ６３０Ｇの中央との間の距離は、第１ＬＥＤデバイス６００の左上の角にあるＬＥＤチップ６３０Ｒの中央と、第１ＬＥＤデバイス６００の右上の角にあるＬＥＤチップ６３０Ｇの中央との間の距離に等しくてよいが、本発明はこれに限定されるものではない。
【００６１】
さらに、駆動回路基板およびアレイ状に配置された複数のＬＥＤデバイス６００を備える前述のディスプレイは、ユーザが実際に感じる解像度を改善すべく、"仮想ピクセル"の概念を任意に採用してよい。例えば、複数のＬＥＤデバイス６００がアレイ状に配置されている場合、第１ＬＥＤデバイス６００が右で第２ＬＥＤデバイス６００が左になるように、第１ＬＥＤデバイス６００は第２ＬＥＤデバイス６００に隣接する。この場合、第１ＬＥＤデバイス６００の４つのＬＥＤチップ６３０Ｒ、６３０Ｂ、６３０Ｒおよび６３０Ｇは物理ピクセルを形成してよい。第１ＬＥＤデバイス６００の左上の角および左下の角にある複数のＬＥＤチップ６３０Ｒおよび６３０Ｂは、第２ＬＥＤデバイス６００の右上の角および右下の角にある複数のＬＥＤチップ６３０Ｇおよび６３０Ｒと共に、適切な駆動モードにおいて仮想ピクセルを形成してよく、それにより、ユーザが実際に感じる解像度を改善する。
【００６２】
本発明においては、ＬＥＤデバイス６００が４つのＬＥＤチップ６３０Ｒ、６３０Ｂ、６３０Ｒおよび６３０Ｇを備えなければならいものであると限定されるのではなく、また、ＬＥＤデバイス６００に備えられる複数のＬＥＤチップの数および発光色は、実際の要求に応じたものであってよいことが理解されるべきである。例えば、複数の他の実施形態においては、１つのＬＥＤチップ６３０ＲがＬＥＤデバイス６００から省略されてよい。このＬＥＤデバイスも、依然として本発明にて請求される範囲内にある。さらに、本発明においてＬＥＤデバイス６００は、"仮想ピクセル"の概念を有する複数のディスプレイのみに適用されることができるものと限定されるのではなく、本発明のＬＥＤデバイスはまた、一般的な複数のディスプレイにも適用されることができる。
【００６３】
図６は、本発明の別の実施形態に従ったＬＥＤデバイスの概略上面図である。図７は、図６のａ−ａ'、ｂ−ｂ'、ｃ−ｃ'、ｄ−ｄ'、およびｅ−ｅ'切断線に沿って得られるＬＥＤデバイスの概略断面図である。図６および図７を一緒に参照すると、ＬＥＤデバイス７００は、基板７１０、複数の金属パッド７２０Ｒ、７２０Ｂ、７２０Ｒ、７２０Ｇおよび７２０Ｃ、および複数のＬＥＤチップ７３０Ｒ、７３０Ｂ、７３０Ｒおよび７３０Ｇを備える。基板７１０は、第１面７１０ａ、第１面７１０ａの反対側に配置される第２面７１０ｂ（図７に示される）、第１面７１０ａと第２面７１０ｂとの間に配置される複数のビア７１０ｃ（図７に示される）を有する。詳細には、図７に示されるように、この実施形態において基板７１０は、複数のビアホール７１０ｅを有する絶縁ベース７１０ｄを備える。複数のビアホール７１０ｅのそれぞれは、第１面７１０ａおよび第２面７１０ｂを貫通する。絶縁ベース７１０ｄの複数のビアホール７１０ｅは、複数のビア７１０ｃを形成すべく、導電性材料で埋められる。
【００６４】
図６および図７に示されるように、複数の金属パッド７２０Ｒ、７２０Ｂ、７２０Ｒ、７２０Ｇおよび７２０Ｃは、お互いから分離されている。図７に示されるように、複数の金属パッド７２０Ｒ、７２０Ｂ、７２０Ｒ、７２０Ｇおよび７２０Ｃは、それぞれ、第１面７１０ａに配置された複数の第１金属パッド７２０Ｒ１、７２０Ｂ１、７２０Ｒ１、７２０Ｇ１および７２０Ｃ１、ならびに、第２面７１０ｂに配置された複数の第２金属パッド７２０Ｒ２、７２０Ｂ２、７２０Ｒ２、７２０Ｇ２および７２０Ｃ２を備える。複数の金属パッド７２０Ｒ、７２０Ｂ、７２０Ｒ、７２０Ｇおよび７２０Ｃの複数の第１金属パッド７２０Ｒ１、７２０Ｂ１、７２０Ｒ１、７２０Ｇ１および７２０Ｃ１のそれぞれは、複数のビア７１０ｃのうちの対応する１つを介して、複数の第２金属パッド７２０Ｒ２、７２０Ｂ２、７２０Ｒ２、７２０Ｇ２および７２０Ｃ２のうちの対応する１つに電気的に接続される。この実施形態においては、複数の金属パッド７２０Ｒ、７２０Ｂ、７２０Ｒ、７２０Ｇおよび７２０Ｃの材料は、例えば銅であるが、本発明はこれに限定されるものではない。複数の他の実施形態においては、複数の金属パッド７２０Ｒ、７２０Ｂ、７２０Ｒ、７２０Ｇおよび７２０Ｃの材料はまた、その他の適切な複数の材料であってよい。
【００６５】
図６および図７に示されるように、複数のＬＥＤチップ７３０Ｒ、７３０Ｂ、７３０Ｒおよび７３０Ｇのそれぞれは、少なくとも１つの第１電極接点７３２および少なくとも１つの第２電極接点７３４（図７に示される）を有する。複数のＬＥＤチップ７３０Ｒ、７３０Ｂ、７３０Ｒおよび７３０Ｇは、複数の部分第１金属パッド７２０Ｒ１、７２０Ｂ１、７２０Ｒ１および７２０Ｇ１にそれぞれに配置される。図７に示されるように、複数のＬＥＤチップ７３０Ｒ、７３０Ｂ、７３０Ｒおよび７３０Ｇの複数の第２電極接点７３４は、複数の部分第１金属パッド７２０Ｒ１、７２０Ｂ１、７２０Ｒ１および７２０Ｇ１にそれぞれ電気的に接続される。他方、図６および図７に示されるように、複数のＬＥＤチップ７３０Ｒ、７３０Ｂ、７３０Ｒおよび７３０Ｇの複数の第１電極接点７３２は、複数の部分第１金属パッド７２０Ｒ１、７２０Ｂ１、７２０Ｒ１および７２０Ｇ１以外の別の第１金属パッド７２０Ｃ１に電気的に接続される。
【００６６】
図６および図７に示されるように、ＬＥＤデバイス７００の複数のＬＥＤチップ７３０Ｒ、７３０Ｂ、７３０Ｒおよび７３０Ｇのうち少なくとも１つ（例えばＬＥＤチップ７３０Ｂ、７３０Ｇ）はフリップチップである。各フリップチップ（例えばＬＥＤチップ７３０Ｂ、７３０Ｇ）は、第１半導体層７３６、第２半導体層７３８、第１半導体層７３６と第２半導体層７３８との間に配置された発光層７３９、第１電極接点７３２、および第２電極接点７３４を備える。第１電極接点７３２と第２電極接点７３４は発光層７３９の同じ側に配置され、且つ、基板７１０の第１面７１０ａに面する。この実施形態においては、２つのＬＥＤチップ７３０Ｂおよび７３０Ｇはフリップチップであってよく、残りの複数のＬＥＤチップ７３０Ｒは縦型チップであってよい。複数の縦型ＬＥＤチップ７３０Ｒのそれぞれは、直線ｄ２に沿って連続して配置された第１電極接点７３２、第１半導体層７３６、発光層７３９、第２半導体層７３８、および第２電極接点７３４を備える。直線ｄ２の方向は、例えば、第１面７１０ａの法線方向と反対の方向である。本発明においては、ＬＥＤデバイスが２つのフリップチップと２つの縦型チップとを備えなければならないものに限定されるのではないことが理解されるべきであろう。複数の他の実施形態において、一または複数（２以外）のＬＥＤチップもまたフリップチップであってよく、残りの複数のＬＥＤチップは、実際の要求に応じて、任意に、複数のフリップチップまたは複数の非フリップチップ（例えば、複数の横型チップ、複数の縦型チップ、等）であってよい。
【００６７】
図７に示されるように、この実施形態においては、複数のフリップチップＬＥＤチップ７３０Ｂおよび７３０Ｇの複数の第１電極接点７３２は、導電性接着剤ＡＣＦを介して第１金属パッド７２０Ｃ１に電気的に接続されてよい。そして複数のフリップチップＬＥＤチップ７３０Ｂおよび７３０Ｇの複数の第２電極接点７３４は、導電性接着剤ＡＣＦを介して対応する複数の第１金属パッド７２０Ｂ１および７２０Ｇ１に電気的に接続されてよい。この実施形態において導電性接着剤ＡＣＦは、複数のフリップチップＬＥＤチップ７３０Ｂおよび７３０Ｇのそれぞれの第１電極接点７３２と第２電極接点７３４との間での短絡の発生を回避するために、異方性導電性接着剤であってよい。しかしながら、本発明はこれに限定されるものではない。もしも工程能力が許すのであれば、各フリップチップＬＥＤチップ７３０Ｂ（７３０Ｇ）の第１電極接点７３２および第２電極接点７３４はまた、それぞれ、複数の他の実施形態においてはお互いから分離されている２つの一般的な導電性接着剤（例えば銀接着剤）を介して、２つの対応する第１金属パッド７２０Ｃ１および７２０Ｂ１（７２０Ｃ１および７２０Ｇ１）に電気的に接続されてよい。
【００６８】
図７に示されるように、この実施形態においては、各縦型ＬＥＤチップ７３０Ｒの第２電極接点７３４は、導電性接着剤Ｇを介して、１つの対応する第１金属パッド７２０Ｒ１へと電気的に接続されてよい。導電性接着剤Ｇは、一般的な導電性接着剤（例えば銀接着剤）または異方性導電性接着剤であってよく、本発明における導電性接着剤Ｇの種類に対して特に制限は設けられない。図６に示されるように、各縦型ＬＥＤチップ７３０Ｒの第１電極接点７３２は、対応する導電線７４２を介して、第１金属パッド７２０Ｃ１へと電気的に接続されてよい。
【００６９】
図６および図７に示されるように、この実施形態においては、複数の第１金属パッド７２０Ｒ１、７２０Ｂ１、７２０Ｒ１、７２０Ｇ１および７２０Ｃ１はお互いから分離され、複数の第２金属パッド７２０Ｒ２、７２０Ｂ２、７２０Ｒ２、７２０Ｇ２および７２０Ｃ２はお互いから分離され、複数の第１金属パッド７２０Ｒ１、７２０Ｂ１、７２０Ｒ１、７２０Ｇ１および７２０Ｃ１は、それぞれ、複数の第２金属パッド７２０Ｒ２、７２０Ｂ２、７２０Ｒ２、７２０Ｇ１および７２０Ｃ２に電気的に接続される。複数の駆動信号が、複数の第２金属パッド７２０Ｒ２、７２０Ｂ２、７２０Ｒ２および７２０Ｇ２を介して、外部から複数のＬＥＤチップ７３０Ｒ、７３０Ｂ、７３０Ｒおよび７３０Ｇの複数の第２電極接点７３４へと送信されることができ、共通した同じ信号が、第２金属パッド７２０Ｃ２を介して複数のＬＥＤチップ７３０Ｒ、７３０Ｂ、７３０Ｒおよび７３０Ｇの複数の第１電極接点７３２へと送信されることができる。これにより、複数のＬＥＤチップ７３０Ｒ、７３０Ｂ、７３０Ｒおよび７３０Ｇの複数の電流の大きさは、独立に制御されることが可能である。
【００７０】
図６に示されるように、この実施形態においては、複数の第１金属パッド７２０Ｒ１、７２０Ｂ１、７２０Ｒ１、７２０Ｇ１および７２０Ｃ１は５つの第１金属パッドであり、４つの第１金属パッド７２０Ｒ１、７２０Ｂ１、７２０Ｒ１および７２０Ｇ１が基板７１０の４つの角にそれぞれ配置され、残った１つの第１金属パッド７１０Ｃの真上には、完全なＬＥＤチップはどれも備えられない。複数のＬＥＤチップ７３０Ｒ、７３０Ｂ、７３０Ｒおよび７３０Ｇは、２つの第１カラーチップ（例えば２つのＬＥＤチップ７３０Ｒ）、１つの第２カラーチップ（例えばＬＥＤチップ７３０Ｇ）、および、１つの第３カラーチップ（例えばＬＥＤチップ７３０Ｂ）を含む。２つのＬＥＤチップ７３０Ｒ、ＬＥＤチップ７３０Ｇ、およびＬＥＤチップ７３０Ｂは、それぞれ、４つの第１金属パッド７２０Ｒ１、７２０Ｒ１、７２０Ｇ１および７２０Ｂ１に配置される。第１仮想直線は、同じ色を有する２つのＬＥＤチップ７３０Ｒの中央同士を接続する。第２仮想直線は、異なる色を有するＬＥＤチップ７３０Ｇの中央とＬＥＤチップ７３０Ｂの中央とを接続する。第１仮想直線は第２仮想直線と交差する。さらに言えば、任意の２つの隣接するＬＥＤチップ７３０Ｒおよび７３０Ｂ（７３０Ｒおよび７３０Ｇ）の中央同士の間の複数の距離は、同じであってよい。言い換えると、任意の３つのＬＥＤチップ７３０Ｒ、７３０Ｂおよび７３０Ｇ（７３０Ｒ、７３０Ｒおよび７３０Ｂ、または、７３０Ｒ、７３０Ｒおよび７３０Ｇ）の複数の中央を接続することにより、直角二等辺三角形が形成されてよい。しかし、本発明はこれに限定されるものではない。
【００７１】
さらに言えば、この実施形態において基板７１０は、矩形基板であるように選択されてよい。４つの第１金属パッド７２０Ｒ１、７２０Ｒ１、７２０Ｇ１および７２０Ｂ１は、基板７１０の４つの角にそれぞれ配置されてよく、第１金属パッド７２０Ｃ１は、４つの第１金属パッド７２０Ｒ１、７２０Ｂ１、７２０Ｒ１および７２０Ｇ１の中間に配置されてよい。しかしながら、本発明はこれに限定されるものではない。複数の他の実施形態において基板７１０はまた、実際の要求に応じてその他複数の形状に設計されてよく、複数の第１金属パッド７２０Ｒ１、７２０Ｂ１、７２０Ｒ１、７２０Ｇ１および７２０Ｃ１は、その他複数の適切な方式で基板７１０に配置されてよい。
【００７２】
この実施形態においては、２つのＬＥＤチップ７３０Ｒは例えば２つの赤色チップであり、ＬＥＤチップ７３０Ｇは例えば緑色チップであり、そしてＬＥＤチップ７３０Ｂは例えば青色チップであるが、本発明はこれに限定されるものではない。複数の他の実施形態においては、複数のＬＥＤチップ７３０Ｒ、７３０Ｂ、７３０Ｒおよび７３０Ｇの複数の発光色はまた、他の複数種類の色の複数の組み合わせであってもよい。図６および図７に示されるように、少なくとも１つのフリップチップ（例えば、複数のＬＥＤチップ７３０Ｇ、７３０Ｂ）は、フリップチップ（例えば、複数のＬＥＤチップ７３０Ｇおよび７３０Ｂ）の第１電極接点７３２が、第１金属パッド７２０Ｃ１に電気的に接続されるように、複数のフリップチップが配置される複数の第１金属パッド７２０Ｇ１および７２０Ｂ１と、第１金属パッド７２０Ｃ１との間の複数のギャップｇ１およびｇ２をまたいで広がることに留意されるべきであろう。それにより、少なくとも１つのＬＥＤチップ７３０Ｂ（７３０Ｇ）は、対応する複数の第１金属パッド７２０Ｃ１および７２０Ｂ１（７２０Ｃ１および７２０Ｇ１）に電気的に接続されるための追加の導電線を必要としない。そのため、ＬＥＤデバイス７００が大幅に小さな寸法を持つことができる。
【００７３】
さらに言えば、もしも複数のＬＥＤデバイス７００が駆動回路基板（不図示）にアレイ状に配置された場合、駆動回路基板および複数のＬＥＤデバイス７００はディスプレイ（例えば情報板）を形成することができる。少なくとも１つのフリップチップ（例えば、複数のＬＥＤチップ７３０Ｇ、７３０Ｂ）を、複数のフリップチップが配置される複数の第１金属パッド７２０Ｇ１および７２０Ｂ１と、別の第１金属パッド７２０Ｃ１との間の複数のギャップｇ１およびｇ２をまたいで広がるようにすることにより、複数のＬＥＤデバイス７００のそれぞれが、縮小されたその寸法を有してよく、それにより、ディスプレイの解像度を改善する。さらに言えば、複数のＬＥＤデバイス７００がアレイ状に配置された場合、お互いに最も近い２つの隣接するＬＥＤデバイス７００の２つのＬＥＤチップの中央同士の間の距離は、１つの同じＬＥＤデバイス７００中の２つの隣接するＬＥＤチップの中央同士の間の距離に等しい。例えば、複数のＬＥＤデバイス７００がアレイ状に配置されている場合、第１ＬＥＤデバイス７００が右で第２ＬＥＤデバイス７００が左になるように、第１ＬＥＤデバイス７００は第２ＬＥＤデバイス７００に隣接する。この場合、第１ＬＥＤデバイス７００の左上の角にあるＬＥＤチップ７３０Ｒの中央と、第２ＬＥＤデバイス７００の右上の角にあるＬＥＤチップ７３０Ｇの中央との間の距離は、第１ＬＥＤデバイス７００の左上の角にあるＬＥＤチップ７３０Ｒの中央と、第１ＬＥＤデバイス７００の右上の角にあるＬＥＤチップ７３０Ｇの中央との間の距離に等しくてよいが、本発明はこれに限定されるものではない。
【００７４】
さらに、駆動回路基板およびアレイ状に配置された複数のＬＥＤデバイス７００を備える前述のディスプレイは、ユーザが実際に感じる解像度を改善すべく、"仮想ピクセル"の概念を任意に採用してよい。例えば、複数のＬＥＤデバイス７００がアレイ状に配置されている場合、第１ＬＥＤデバイス７００が右で第２ＬＥＤデバイス７００が左になるように、第１ＬＥＤデバイス７００は第２ＬＥＤデバイス７００に隣接する。この場合、第１ＬＥＤデバイス７００の４つのＬＥＤチップ７３０Ｒ、７３０Ｂ、７３０Ｒおよび７３０Ｇは物理ピクセルを形成してよい。第１ＬＥＤデバイス７００の左上の角および左下の角にある複数のＬＥＤチップ７３０Ｒおよび７３０Ｂは、第２ＬＥＤデバイス７００の右上の角および右下の角にある複数のＬＥＤチップ７３０Ｇおよび７３０Ｒと共に、適切な駆動モードにおいて仮想ピクセルを形成してよく、それにより、ユーザが実際に感じる解像度を改善する。
【００７５】
本発明においては、ＬＥＤデバイス７００が４つのＬＥＤチップ７３０Ｒ、７３０Ｂ、７３０Ｒおよび７３０Ｇを備えなければならいものであると限定されるのではなく、また、ＬＥＤデバイス７００に備えられる複数のＬＥＤチップの数および発光色は、実際の要求に応じたものであってよいことがさらに理解されるべきであろう。例えば、複数の他の実施形態においては、１つのＬＥＤチップ７３０ＲがＬＥＤデバイス７００から省略されてよい。このＬＥＤデバイスも、依然として本発明にて請求される範囲内にある。さらに、本発明においてＬＥＤデバイス７００は、"仮想ピクセル"の概念を有する複数のディスプレイのみに適用されることができるものと限定されるのではなく、本発明のＬＥＤデバイスはまた、一般的な複数のディスプレイにも適用されることができる。
【００７６】
図８は、本発明のさらに別の実施形態に従ったＬＥＤデバイスの概略上面図である。図９は、図８のａ−ａ'、ｂ−ｂ'、ｃ−ｃ'、ｄ−ｄ'、およびｅ−ｅ'切断線に沿って得られるＬＥＤデバイスの概略断面図である。図８のＬＥＤデバイス７００'は図６のＬＥＤデバイス７００と同様であるので、同じまたは対応する複数の要素は、同じまたは対応する複数の参照番号によって表されている。図８のＬＥＤデバイス７００'は、ＬＥＤデバイス７００'のＬＥＤチップ７３０Ｒ'の種類が、ＬＥＤデバイス７００のＬＥＤチップ７３０Ｒの種類とは異なる点、および、ＬＥＤデバイス７００'には、ＬＥＤデバイス７００の導電線７４２が備えられなくてもよいという点で、図６のＬＥＤデバイス７００とは主に異なる。この後は、２つのデバイスの間の前述の差異のみ説明され、それらの間の複数の類似点については繰り返されないであろう。
【００７７】
図８および図９を一緒に参照すると、ＬＥＤデバイス７００'は、基板７１０、複数の金属パッド７２０Ｒ、７２０Ｂ、７２０Ｒ、７２０Ｇおよび７２０Ｃ、および複数のＬＥＤチップ７３０Ｒ'、７３０Ｂ、７３０Ｒ'および７３０Ｇを備える。基板７１０は、第１面７１０ａ、第１面７１０ａの反対側に配置される第２面７１０ｂ、および、第１面７１０ａと第２面７１０ｂとの間に配置される複数のビア７１０ｃを有する。複数の金属パッド７２０Ｒ、７２０Ｂ、７２０Ｒ、７２０Ｇおよび７２０Ｃは、それぞれ、第１面７１０ａに配置された複数の第１金属パッド７２０Ｒ１、７２０Ｂ１、７２０Ｒ１、７２０Ｇ１および７２０Ｃ１、ならびに、第２面７１０ｂに配置された複数の第２金属パッド７２０Ｒ２、７２０Ｂ２、７２０Ｒ２、７２０Ｇ２および７２０Ｃ２を備える。第１面７１０ａに配置された複数の第１金属パッド７２０Ｒ１、７２０Ｂ１、７２０Ｒ１、７２０Ｇ１および７２０Ｃ１は、複数のビア７１０ｃを介して、第２面７１０ｂに配置された複数の第２金属パッド７２０Ｒ２、７２０Ｂ２、７２０Ｒ２、７２０Ｇ２および７２０Ｃ２と電気的に接続される。複数のＬＥＤチップ７３０Ｒ、７３０Ｂ、７３０Ｒおよび７３０Ｇのそれぞれは、少なくとも１つの第１電極接点７３２および少なくとも１つの第２電極接点７３４を有する。複数のＬＥＤチップ７３０Ｒ、７３０Ｂ、７３０Ｒおよび７３０Ｇは、それぞれ、複数の部分第１金属パッド７２０Ｒ１、７２０Ｂ１、７２０Ｒ１および７２０Ｇ１に配置される。複数のＬＥＤチップ７３０Ｒ、７３０Ｂ、７３０Ｒおよび７３０Ｇの複数の第２電極接点７３４は、それぞれ、複数の部分第１金属パッド７２０Ｒ１、７２０Ｂ１、７２０Ｒ１および７２０Ｇ１に電気的に接続される。複数のＬＥＤチップ７３０Ｒ、７３０Ｂ、７３０Ｒおよび７３０Ｇの複数の第１電極接点７３２は、複数の部分第１金属パッド７２０Ｒ１、７２０Ｂ１、７２０Ｒ１および７２０Ｇ１以外の別の第１金属パッド７２０Ｃ１に電気的に接続される。
【００７８】
図８および図９の実施形態は、複数のＬＥＤチップ７３０Ｇおよび７３０Ｂに加えて、複数のＬＥＤチップ７３０Ｒ'もまたフリップチップであるという点、および、ＬＥＤチップ７３０Ｒ'の第１電極接点７３２および第２電極接点７３４を複数の第１金属パッド７２０Ｒ１および７２０Ｃ１へと接続するための導電性接着剤ＡＣＦが異方性導電性接着剤であってよいという点で、図６および図７の実施形態とは異なる。簡単に言えば、図８および図９の実施形態においては、複数のＬＥＤチップ７３０Ｒ'、７３０Ｂ、７３０Ｒ'および７３０Ｇの全てがフリップチップであってよい。複数のＬＥＤチップ７３０Ｒ'、７３０Ｂ、７３０Ｒ'および７３０Ｇは、複数のＬＥＤチップ７３０Ｒ'、７３０Ｂ、７３０Ｒ'および７３０Ｇの複数の第１電極接点７３２が第１金属パッド７２０Ｃ１へと電気的に接続されるように、複数のフリップチップが配置される複数の第１金属パッド７２０Ｒ１、７２０Ｂ１、７２０Ｒ１および７２０Ｇ１と、別の第１金属パッド７２０Ｃ１との間の複数のギャップｇ１、ｇ２およびｇ３をまたいで広がる。ＬＥＤデバイス７００'は、ＬＥＤデバイス７００のものと同様な複数の効果および利点を有する。これら複数の効果および利点は、本明細書にて繰り返しては説明されないであろう。同様に、ＬＥＤデバイス７００'の１つのＬＥＤチップ７３０Ｒ'が省略されたＬＥＤデバイスもまた、本発明において請求される範囲内にある。ＬＥＤデバイス７００'はまた、"仮想ピクセル"の概念を有する、または有さない複数のディスプレイに対しても適用されることができる。これらは、前述の説明に従って、当分野における当業者によって実施されることができる。故に、本明細書においてさらには説明されない。
【００７９】
上記の説明に従って、本発明の一実施形態のＬＥＤデバイスは、ＬＥＤデバイスの寸法を縮小すべく、同じ第１金属導線を複数のＬＥＤの複数の第１電極接点と電気的に接続する。
【００８０】
さらに、本発明の別の実施形態のＬＥＤデバイスは少なくとも１つのフリップチップＬＥＤチップを備える。フリップチップＬＥＤチップは、２つの隣接する第１金属パッド間のギャップをまたいで広がる。そして、フリップチップＬＥＤチップの第１電極接点および第２電極接点は、それぞれ、２つの隣接する第１金属パッドへと電気的に接続される。それにより、少なくとも１つのフリップチップＬＥＤチップは、対応する第１金属パッドへと電気的に接続されるための追加の導電線を必要としない。これは、ＬＥＤデバイスの寸法をさらに縮小させる。
【００８１】
上記の開示は、詳細な複数の技術的内容、および、それらの複数の発明的な特徴に関する。当業者は、説明される発明の複数の開示および示唆に基づいて、それらの特徴から逸脱すること無く様々な変更および置換を続けることができるであろう。そうとは言え、そのような複数の変更および置換は上記の複数の説明には完全には開示されてはいないものの、それらは実質的に添付された以下の請求項に包含されている。
【図１】
0006278318.tif 000002
【図２】
0006278318.tif 000003
【図３】
0006278318.tif 000004
【図４】
0006278318.tif 000005
【図５】
0006278318.tif 000006
【図６】
0006278318.tif 000007
【図７】
0006278318.tif 000008
【図８】
0006278318.tif 000009
【図９】
0006278318.tif 000010